(57)【要約】【課題】遊動体に意外性のある動作を行わせること。【解決手段】フィールド板の下側に複数の制御コイルが設けられ、制御装置によって前記複数の制御コイルの通電を制御させることにより、磁石が付設された遊動体を動作させるようにしたことを特徴とする。この遊動玩具によれば、制御装置により複数の制御コイルの通電制御がされ、磁石が付設された遊動体がフィールド板の上で動作を行う。【選択図】          図１
2004195113.tif 000002
【特許請求の範囲】
【請求項１】
複数の制御コイルが設けられ、制御装置によって前記複数の制御コイルの通電を制御させることにより、磁石が付設された遊動体を動作させるようにしたことを特徴とする遊動玩具。
【請求項２】
フィールド板の下側に複数の制御コイルが設けられ、制御装置によって前記複数の制御コイルの通電を制御させることにより、磁石が付設された遊動体を動作させるようにしたことを特徴とする遊動玩具。
【請求項３】
前記遊動体は生物、乗り物、工作物または情景の形象物であることを特徴とする請求項１または２記載の遊動玩具。
【請求項４】
前記遊動体にはコイルと発光ダイオードが付設され、前記制御装置による前記制御コイルの通電制御によって前記コイルに誘導起電力を生じさせ前記発光ダイオードを点灯させるようにしたことを特徴とする請求項１から３いずれか一に記載の遊動玩具。
【請求項５】
前記遊動体にはコイルが付設され、前記制御装置による前記制御コイルの通電制御によって前記コイルに誘導起電力を生じさせ、前記コイルに新たな磁束を生じさせ、この磁束によって前記遊動体の一部を動作させるようにしたことを特徴とする請求項１から３いずれか一に記載の遊動玩具。
【請求項６】
前記遊動体にはコイルと発光ダイオードが付設され、前記制御装置による前記制御コイルの通電制御によって前記コイルに誘導起電力を生じさせ前記発光ダイオードを点灯させるとともに、前記誘導起電力によって前記コイルに新たな磁束を生じさせ、この磁束によって前記遊動体の一部を動作させるようにしたことを特徴とする請求項１から３いずれか一に記載の遊動玩具。
【請求項７】
前記遊動体を複数備えることを特徴とする請求項１から３いずれか一に記載の遊動玩具。
【請求項８】
前記遊動体のうち少なくとも１つの遊動体にはコイルと発光ダイオードが付設され、前記制御装置による前記制御コイルの通電制御によって前記コイルに誘導起電力を生じさせ前記発光ダイオードを点灯させるようにしたことを特徴とする請求項７記載の遊動玩具。
【請求項９】
前記遊動体のうち少なくとも１つの遊動体にはコイルが付設され、前記制御装置による前記制御コイルの通電制御によって前記コイルに誘導起電力を生じさせ、前記コイルに新たな磁束を生じさせ、この磁束によって前記遊動体の一部を動作させるようにしたことを特徴とする請求項７記載の遊動玩具。
【請求項１０】
前記遊動体のうち少なくとも１つの遊動体にはコイルと発光ダイオードが付設され、前記制御装置による前記制御コイルの通電制御によって前記コイルに誘導起電力を生じさせ前記発光ダイオードを点灯させるとともに、前記誘導起電力によって前記コイルに新たな磁束を生じさせ、この磁束によって前記遊動体の一部を動作させるようにしたことを特徴とする請求項７記載の遊動玩具。
【発明の詳細な説明】
【０００１】
【発明の属する技術分野】
本発明は、遊動玩具に関するもので、さらに詳しくは、磁力により動作する遊動玩具に係わる。
【０００２】
【従来の技術】
従来、磁力を使用した遊動玩具として、フィールド板の下側にまで延在する２つの操作板それぞれの先に磁石を取り付け、一方、フィールド板の上に、磁石を付設した人形（遊動体）を乗せ、操作板を操作することで、フィールド板の上で人形同士に相撲を行わせるように構成したものが知られている（例えば特許文献１）。
【０００３】
【特許文献１】
実開昭５２−１４０８８６号公報
【０００４】
【発明が解決しようとする課題】
しかし、フィールド板の下側で磁石を動作させて、フィールド板の上の人形を動作させる面倒であり、しかも、フィールド板の下側の磁石を自分で動作させ、フィールド板の上の人形を追従させて動作させるだけなので興趣性に乏しいといった問題があった。
【０００５】
本発明は、かかる問題点に鑑みなされたもので、興趣性に富む遊動玩具を提供することを主たる目的とする。
【０００６】
【課題を解決するための手段】
請求項１記載の遊動玩具は、複数の制御コイルが設けられ、制御装置によって前記複数の制御コイルの通電を制御させることにより、磁石が付設された遊動体を動作させるようにしたことを特徴とする。
この遊動玩具によれば、制御装置により複数の制御コイルの通電制御がされ、磁石が付設された遊動体が動作を行うので、遊動体を動作させるために、人為的に磁石等を動作させる必要がなくなる。
【０００７】
請求項２記載の遊動玩具は、フィールド板の下側に複数の制御コイルが設けられ、制御装置によって前記複数の制御コイルの通電を制御させることにより、磁石が付設された遊動体を動作させるようにしたことを特徴とする。
この遊動玩具によれば、制御装置により複数の制御コイルの通電制御がされ、磁石が付設された遊動体がフィールド板の上で動作を行うので、遊動体を動作させるために、フィールド板の下で人為的に磁石等を動作させる必要がなくなる。
【０００８】
請求項３記載の遊動玩具は、請求項１または２記載の遊動玩具において、前記遊動体は生物、乗り物、工作物または情景の形象物であることを特徴とする。ここに生物、乗り物、工作物、情景とは現実のものは勿論、仮想のものも含む。
この遊動玩具によれば、制御装置により複数の制御コイルの通電制御により、形象物を動作させることができる。
【０００９】
請求項４記載の遊動玩具は、請求項１から３いずれか一に記載の遊動玩具において、前記遊動体にはコイルと発光ダイオードが付設され、前記制御装置による前記制御コイルの通電制御によって前記コイルに誘導起電力を生じさせ前記発光ダイオードを点灯させるようにしたことを特徴とする。
この遊動玩具によれば、制御装置により複数の制御コイルの通電制御により、遊動体に組み込まれた発光ダイオードを点灯させることができる。
【００１０】
請求項５記載の遊動玩具は、請求項１から３いずれか一に記載の遊動玩具において、前記遊動体にはコイルが付設され、前記制御装置による前記制御コイルの通電制御によって前記コイルに誘導起電力を生じさせ、前記コイルに新たな磁束を生じさせ、この磁束によって前記遊動体の一部を動作させるようにしたことを特徴とする。
この遊動玩具によれば、制御装置により複数の制御コイルの通電制御により、遊動体の一部を動作させることができる。
【００１１】
請求項６記載の遊動玩具は、請求項１から３いずれか一に記載の遊動玩具において、前記遊動体にはコイルと発光ダイオードが付設され、前記制御装置による前記制御コイルの通電制御によって前記コイルに誘導起電力を生じさせ前記発光ダイオードを点灯させるとともに、前記誘導起電力によって前記コイルに新たな磁束を生じさせ、この磁束によって前記遊動体の一部を動作させるようにしたことを特徴とする。
この遊動玩具によれば、制御装置により複数の制御コイルの通電制御により、遊動体に組み込まれた発光ダイオードを点灯させることができるとともに、遊動体の一部を動作させることができる。
【００１２】
請求項７記載の遊動玩具は、請求項１から３いずれか一に記載の遊動玩具において、前記遊動体を複数備えることを特徴とする。
この遊動玩具によれば、制御装置により複数の制御コイルの通電制御により、幾つもの遊動玩具を動作させることができる。
【００１３】
請求項８記載の遊動玩具は、請求項７記載の遊動玩具において、前記遊動体のうち少なくとも１つの遊動体にはコイルと発光ダイオードが付設され、前記制御装置による前記制御コイルの通電制御によって前記コイルに誘導起電力を生じさせ前記発光ダイオードを点灯させるようにしたことを特徴とする。
この遊動玩具によれば、制御装置により複数の制御コイルの通電制御により、遊動体に組み込まれた発光ダイオードを点灯させることができる。
【００１４】
請求項９記載の遊動玩具は、請求項７記載の遊動玩具において、前記遊動体のうち少なくとも１つの遊動体にはコイルが付設され、前記制御装置による前記制御コイルの通電制御によって前記コイルに誘導起電力を生じさせ、前記コイルに新たな磁束を生じさせ、この磁束によって前記遊動体の一部を動作させるようにしたことを特徴とする。
この遊動玩具によれば、制御装置により複数の制御コイルの通電制御により、遊動体の一部を動作させることができる。
【００１５】
請求項１０記載の遊動玩具は、請求項７記載の遊動玩具において、前記遊動体のうち少なくとも１つの遊動体にはコイルと発光ダイオードが付設され、前記制御装置による前記制御コイルの通電制御によって前記コイルに誘導起電力を生じさせ前記発光ダイオードを点灯させるとともに、前記誘導起電力によって前記コイルに新たな磁束を生じさせ、この磁束によって前記遊動体の一部を動作させるようにしたことを特徴とする。
この遊動玩具によれば、制御装置により複数の制御コイルの通電制御により、遊動体に組み込まれた発光ダイオードを点灯させることができるとともに、遊動体の一部を動作させることができる。
【００１６】
【発明の実施の形態】
Ｉ．第１の実施形態
１．全体構成・動作
この遊動玩具１は図１（ａ）、（ｂ）、（ｃ）に示すようにベース体２と遊動体３を備える。ベース体２には遊動空間を形成するフィールド板４が設けられている。このフィールド板４の上には遊動体３が置かれている。また、ベース体２には電源スイッチ５とモード切替スイッチ６が付設されている。
そして、この遊動玩具１においては、電源スイッチ５をＯＮするとともに、モード切替スイッチ６でモードを選択すると、遊動体３がその選択したモードに対応したパターンで動作する。例えば遊動体３がフィールド板４上を所定のパターンで動き回る。
以下、その詳細を説明する。
【００１７】
２．詳細
（１）ベース体２
ベース体２のフィールド板４の下には図２に示すように制御コイル７が複数設けられている。この制御コイル７は磁束がフィールド板４の上に及ぶような態様で設置されている。また、ベース体２には前記制御コイル７を駆動させるための駆動回路のブロック図が示されている。この駆動回路２０には制御装置２１が組み込まれている。この制御装置２１は記憶装置２２に格納された制御プログラムに従って制御用コイル７を制御する。この通電制御には、特に限定はされないが、通電・非通電の制御、通電の順番の制御、制御コイル７に流れる電流の方向制御、その電流の大きさの制御が含まれる。
【００１８】
（２）遊動体３
遊動体３の内部には図４に示すようにリング状の磁石１０が設置されている。また、遊動体３の内部には、リング状磁石１０の中央に配置されたコイル１１と、このコイル１１に直列に接続された発光ダイオード１２が設けられている。発光ダイオード１２は例えば遊動体３の目の部分に組み込まれる。
【００１９】
３．作用・動作
電源スイッチ５をＯＮするとともに、モード切替スイッチ６でモードを選択すると、選択されたモードに対応する制御プログラムが制御装置２１によって記憶装置２２から読み出され、その制御プログラムに従った順番に制御コイル７が通電制御される。すなわち、遊動体３の進行方向先の制御コイル７によって遊動体３が吸引力を受け、一方、遊動体３直下の制御コイル７によって遊動体３が反発力を受けるように制御コイル７を通電制御する。これにより、遊動体３は吸引力を受ける方向に移動する。また、その際に、コイル１１には誘導起電力が生じるので、発光ダイオード１２が点灯する。
なお、制御コイル７への通電を断ち、遊動体３を停止させることができることは勿論であるが、遊動体３を停止させた後に、制御コイル７に流れる電流の大きさや向きを変化させ、遊動体３を停止させたままで発光ダイオード１２を点灯させることもできる。
【００２０】
４．効果
制御コイル７への通電制御によって遊動体３を遊動させているので、遊動体３に複雑で意外性のある動作をさせることができる。
【００２１】
II．本発明の変形
以上、本発明の実施形態について説明したが、本発明は、かかる実施形態に限定されるものでなく、その要旨を逸脱しない範囲で、種々の変形が可能であることはいうまでもない。
【００２２】
例えば、遊動体３として自動車や電車の形象物を用いてもよい。この場合には例えば車体に磁石を設け、制御コイル７の通電制御により、車体に吸引力または反発力を作用させることによって車輪を転動させるようにしてもよい。また、この場合には、フィールド板２の上に道路や、自動車に関連する工作物（例えば車庫）、ガソリンスタンド等を設けておくことが好ましい。さらに、自動車玩具の前照灯部分に発光ダイオードを組み込んでもよい。
【００２３】
また、遊動体３としてシーソ（工作物）の形象物を用いてもよい。この場合、磁石を少なくとも一方の座部下に組み込み、その磁石に吸引力はまたは反発力を作用させてシーソ動作させる。
【００２４】
さらに、図５に示すように、遊動体３にコイル１１を付設し、制御装置２１による制御コイル７の通電制御によってコイル１１に誘導起電力を生じさせ、コイル１１に新たな磁束を生じさせ、この磁束によって磁石３２を介して遊動体３の一部例えば耳３０を軸３１を中心に動作させるようにしてもよい。
【００２５】
【発明の効果】
本発明の代表的なものの効果を説明すれば、複数の制御コイルが設けられ、制御装置によって前記複数の制御コイルの通電を制御させることにより、磁石が付設された遊動体を動作させるようにしたので、複雑で意外性に富む動作をさせることができ、興趣性の高い遊動玩具が実現されることになる。
【図面の簡単な説明】
【図１】本発明の実施形態に係る遊動玩具の斜視図である。
【図２】本発明の実施形態に係る遊動玩具の制御コイルの配置を示す平面図である。
【図３】本発明の実施形態に係る遊動玩具の回路を示すブロック図である。
【図４】本発明の実施形態に係る遊動玩具の遊動体における磁石および発光ダイオードの付設状態を示す図である。
【図５】本発明の実施形態に係る遊動玩具の他例を示す図である。
【符号の説明】
１  遊動玩具
２  ベース体
３  遊動体
４  フィールド板
７  制御コイル
１０  磁石
１２  発光ダイオード
【図１】
2004195113.tif 000003
【図２】
2004195113.tif 000004
【図３】
2004195113.tif 000005
【図４】
2004195113.tif 000006
【図５】
2004195113.tif 000007